(57)【要約】【課題】  安価で光漏れを阻止し液晶セルの全体の輝度を均等にすること。【解決手段】  ベゼル１内に液晶セル２及び導光板３が配置され、該導光板３の裏面や両側面及び上面に貼着される反射シート５が設けられ、導光板３の下面に嵌合させたランプリフレクタ６内にランプ７が配置され、該ランプ７により導光板３を介して液晶セル２を後方から照らすように形成された液晶モジュールにおいて、前記導光板３の正面上部に反射シート片１６が貼着されており、その反射シート片１６で導光板３の上部に入射した光線Ｒを反射させるようにした。【選択図】        図１
2006171168.tif 000002
【特許請求の範囲】
【請求項１】
上下一対の横板部及び左右一対の縦板部からなり中央に開口窓を形成した正面視略ロ字
状の前面パネル部と該前面パネル部の外周縁から後方に直角に折り曲げた枠板部とを有す
るベゼルが設けられ、該ベゼル内に液晶セル及び導光板が配置され、該導光板の裏面に貼
着されるシート本体と該シート本体の両側縁に一体延設されて導光板の両側面に貼着され
る左右一対の側方シート片とシート本体の上縁に一体延設されて導光板の上面に貼着され
る上方シート片とからなる反射シートが設けられ、前記導光板の下面に嵌合させたランプ
リフレクタ内にランプが配置され、該ランプにより導光板を介して液晶セルを後方から照
らすように形成され、前記液晶セルの裏面上部に光漏れ防止用マスキングテープを貼着し
た液晶モジュールにおいて、前記マスキングテープを省略し、横幅を導光板の横幅とほぼ
同じで縦幅をベゼルの上側横板部の縦幅とほぼ同じに設定した反射シート片が前記上方シ
ート片の上縁に一体延設され、導光板の上面に上方シート片を貼着した後に反射シート片
を折り曲げて導光板の正面上部に貼着することにより、該反射シート片の端縁が上側横板
部の下縁を前後方向に沿って通る仮想線に対して同一位置または若干の間隔をおいて上方
位置に位置決めされており、その反射シート片で導光板の上部に入射した光線を反射させ
るようにしたことを特徴とする液晶モジュール。
【請求項２】
上下一対の横板部及び左右一対の縦板部からなり中央に開口窓を形成した正面視略ロ字
状の前面パネル部と該前面パネル部の外周縁から後方に直角に折り曲げた枠板部とを有す
るベゼルが設けられ、該ベゼル内に液晶セル及び導光板が配置され、該導光板の裏面に貼
着されるシート本体と該シート本体の両側縁に一体延設されて導光板の両側面に貼着され
る左右一対の側方シート片とシート本体の上縁に一体延設されて導光板の上面に貼着され
る上方シート片とからなる反射シートが設けられ、前記導光板の下面に嵌合させたランプ
リフレクタ内にランプが配置され、該ランプにより導光板を介して液晶セルを後方から照
らすように形成された液晶モジュールにおいて、前記導光板の正面上部に反射シート片が
貼着されており、その反射シート片で導光板の上部に入射した光線を反射させるようにし
たことを特徴とする液晶モジュール。
【請求項３】
前記反射シート片の横幅を導光板の横幅とほぼ同じで縦幅をベゼルの上側横板部の縦幅
とほぼ同じに設定することにより、反射シート片の端縁が上側横板部の下縁を前後方向に
沿って通る仮想線に対して同一位置または若干の間隔をおいて上方位置に位置決めされて
いることを特徴とする請求項２に記載の液晶モジュール。
【請求項４】
前記反射シート片が前記上方シート片の上縁に一体延設されており、導光板の上面に上
方シート片を貼着した後に反射シート片を折り曲げて導光板の正面上部に貼着させるよう
にしたことを特徴とする請求項１または２に記載の液晶モジュール。
【発明の詳細な説明】
【技術分野】
【０００１】
本発明は、例えばレーザプリンタの表示部として使用される液晶モジュールに関する。
【背景技術】
【０００２】
従来、液晶モジュールの技術として図４〜図７に記載したものがある。これは、金属板
製ベゼル１内に液晶セル２及びアクリル樹脂などの透光樹脂からなる導光板３を配置し、
該導光板３に対向してベゼル１内に照明装置４を配置したものである。
【０００３】
前記ベゼル１は、上下一対の横板部１ａ，１ｃ及び左右一対の縦板部１ｂ，１ｄからな
り中央に開口窓Ｗを形成した正面視略ロ字状の前面パネル部１Ａと、該前面パネル部１Ａ
の外周縁から後方に直角に折り曲げた枠板部１Ｂとを有している。
【０００４】
図６及び図７に示すように、前記導光板３の上向き前側に傾斜させた裏面３ａに貼着さ
れるシート本体５ａと該シート本体５ａの両側縁に一体延設されて導光板３の両側面３ｂ
，３ｃに貼着される左右一対の側方シート片５ｂ，５ｃとシート本体５ａの上縁に一体延
設されて導光板３の上面３ｄに貼着される上方シート片５ｄとからなる白色合成樹脂製反
射シート５が設けられている。
【０００５】
前記照明装置４は、図４及び図５に示すように、導光板３の底面３ｅに嵌合させた横断
面略コ字状金属板製ランプリフレクタ６と、該ランプリフレクタ６内に配置した冷陰極管
からなるランプ７と、該ランプ７に半田付けした一対のリード線８と有している。なお、
９はフラットフレキシブルケーブル、１０は偏光板、１１はプリズムシート、１２は拡散
シートである。
【０００６】
上記構成によれば、ランプ７から投射した光線が導光板３に入ると、その光線は反射シ
ート５で反射され拡散シート１２及びプリズムシート１１を介してほぼ均等に拡散されて
前方に投射され、液晶セル２を後方から照らすようになっているが、ベゼル１の内周面に
当たって乱反射した光線が前方に投射されることにより、液晶セル２の周縁部が明るく照
らされて光漏れが生じやすく、特に、図５に示すように、液晶セル２の前板部の上端面２
ａとベゼル１との間に空隙Ｐが生じるタイプの液晶モジュールでは、その空隙Ｐ内に入っ
てベゼル１の内周面に当たって乱反射した光線Ｒが液晶セル２の上端面２ａを通って投射
されることにより、該液晶セル２の上側周縁部が一層明るく照らされて光漏れが強く生じ
、輝度ムラや表示ムラが現れる。
【０００７】
上記難点を解消する技術として特許文献１に記載したものがある。これは、図８及び図
９に示すように、液晶セル２の裏面上部に光漏れ防止用マスキングテープ１４を貼着する
ものである。
【特許文献１】特開２００４−７１１６７号公報
【発明の開示】
【発明が解決しようとする課題】
【０００８】
上記構成によれば、マスキングテープ１４により液晶セル２の上側周縁部の光漏れを阻
止することができるが、そのマスキングテープ１４により光線Ｒが吸収されるため、図１
０に示すように、液晶セル２のランプ７から遠い上部Ｍ（仮想線Ｓより上側）の輝度が低
下して暗くなり、ユーザに不快感を与える。また、マスキングテープを用いた分だけ部品
点数が増加すると共に、その貼着作業に手間と時間とがかかって、コストアップになる。
【０００９】
本発明は、上記従来の欠点に鑑み、安価で光漏れを阻止し液晶セルの全体の輝度を均等
にすることができるようした液晶モジュールを提供することを目的としている。
【課題を解決するための手段】
【００１０】
上記目的を達成するため、請求項１記載の発明は、上下一対の横板部及び左右一対の縦
板部からなり中央に開口窓を形成した正面視略ロ字状の前面パネル部と該前面パネル部の
外周縁から後方に直角に折り曲げた枠板部とを有するベゼルが設けられ、該ベゼル内に液
晶セル及び導光板が配置され、該導光板の裏面に貼着されるシート本体と該シート本体の
両側縁に一体延設されて導光板の両側面に貼着される左右一対の側方シート片とシート本
体の上縁に一体延設されて導光板の上面に貼着される上方シート片とからなる反射シート
が設けられ、前記導光板の下面に嵌合させたランプリフレクタ内にランプが配置され、該
ランプにより導光板を介して液晶セルを後方から照らすように形成され、前記液晶セルの
裏面上部に光漏れ防止用マスキングテープを貼着した液晶モジュールにおいて、前記マス
キングテープを省略し、横幅を導光板の横幅とほぼ同じで縦幅をベゼルの上側横板部の縦
幅とほぼ同じに設定した反射シート片が前記上方シート片の上縁に一体延設され、導光板
の上面に上方シート片を貼着した後に反射シート片を折り曲げて導光板の正面上部に貼着
することにより、該反射シート片の端縁が上側横板部の下縁を前後方向に沿って通る仮想
線に対して同一位置または若干の間隔をおいて上方位置に位置決めされており、その反射
シート片で導光板の上部に入射した光線を反射させるようにしたことを特徴としている。
【００１１】
請求項２に記載の発明は、上下一対の横板部及び左右一対の縦板部からなり中央に開口
窓を形成した正面視略ロ字状の前面パネル部と該前面パネル部の外周縁から後方に直角に
折り曲げた枠板部とを有するベゼルが設けられ、該ベゼル内に液晶セル及び導光板が配置
され、該導光板の裏面に貼着されるシート本体と該シート本体の両側縁に一体延設されて
導光板の両側面に貼着される左右一対の側方シート片とシート本体の上縁に一体延設され
て導光板の上面に貼着される上方シート片とからなる反射シートが設けられ、前記導光板
の下面に嵌合させたランプリフレクタ内にランプが配置され、該ランプにより導光板を介
して液晶セルを後方から照らすように形成された液晶モジュールにおいて、前記導光板の
正面上部に反射シート片が貼着されており、その反射シート片で導光板の上部に入射した
光線を反射させるようにしたことを特徴としている。
【００１２】
請求項３に記載の発明は、請求項２に記載の発明において、前記反射シート片の横幅を
導光板の横幅とほぼ同じで縦幅をベゼルの上側横板部の縦幅とほぼ同じに設定することに
より、反射シート片の端縁が上側横板部の下縁を前後方向に沿って通る仮想線に対して同
一位置または若干の間隔をおいて上方位置に位置決めされていることを特徴としている。
【００１３】
請求項４に記載の発明は、請求項１または２に記載の発明において、前記反射シート片
が前記上方シート片の上縁に一体延設されており、導光板の上面に上方シート片を貼着し
た後に反射シート片を折り曲げて導光板の正面上部に貼着させるようにしたことを特徴と
している。
【発明の効果】
【００１４】
請求項１に記載の発明は、本発明の実施の一形態（図１〜図３参照）に対応するもので
あって、これによれば、導光板の正面上部に反射シート片が貼着されており、該導光板の
上部に入射した光線が反射シート片に当たって前方へ投射されるのを阻止するので、液晶
セルの上側周縁部が明るく照らされて光漏れが生じるという欠点を解消することができる
と共に、導光板の上部に入射した光線を反射シート片と反射シートとの間で乱反射させ、
その乱反射光を反射シート片の下を通って前方に投射し、これによって、液晶セルのラン
プから遠くて暗くなる上部を照らすので、その液晶セルの全体がほぼ均等に照らされ、従
来のマスキングテープを用いることにより液晶セルの上部が暗くなるという難点を解消す
ることができる。
【００１５】
また、反射シート片をベゼルの上側横板部の裏に隠しているので、その反射シート片の
影がベゼルの開口窓を通して現れるおそれがない。
【００１６】
更に、反射シート片が上方シート片の上縁に一体延設されているので、部品点数が増加
せず、しかも、導光板の上面に上方シート片を貼着した後に反射シート片を折り曲げて導
光板の正面上部に貼着させるだけでよいから、その反射シート片の貼着作業を迅速容易に
行うとができ、従来のマスキングテープを貼着する場合に比べて、大幅なコストダウンを
図ることができる。
【００１７】
請求項２に記載の発明は、基本形態を示すものであって、これによれば、導光板の正面
上部に反射シート片が貼着されており、該導光板の上部に入射した光線が反射シート片に
当たって前方へ投射されるのを阻止するので、液晶セルの上側周縁部が明るく照らされて
光漏れが生じるという欠点を解消することができると共に、導光板の上部に入射した光線
を反射シート片と反射シートとの間で乱反射させ、その乱反射光を反射シート片の下を通
って前方に投射し、これによって、液晶セルのランプから遠くて暗くなる上部を照らすの
で、その液晶セルの全体がほぼ均等に照らされ、従来のマスキングテープを用いることに
より液晶セルの上部が暗くなるという難点を解消することができる。
【００１８】
請求項３に記載の発明によれば、反射シート片により光漏れを確実に阻止し液晶セルの
全体をほぼ均等に照らすという機能を最大限に発揮させることができると同時に、反射シ
ート片をベゼルの上側横板部の裏に隠しているので、その反射シート片の影がベゼルの開
口窓を通して現れるおそれがない。
【００１９】
請求項４に記載の発明によれば、反射シート片が上方シート片の上縁に一体延設されて
いるので、部品点数が増加せず、しかも、導光板の上面に上方シート片を貼着した後に反
射シート片を折り曲げて導光板の正面上部に貼着させるだけでよいから、その反射シート
片の貼着作業を迅速容易に行うとができ、従来のマスキングテープを貼着する場合に比べ
て、大幅なコストダウンを図ることができる。
【発明を実施するための最良の形態】
【００２０】
図１〜図３は本発明の実施の一形態である液晶モジュールを示すものであって、プリズ
ムシート１１及び拡散シート１２の上部を除去して、導光板３の正面上部を露出させ、そ
の露出部分に反射シート片１６を貼着したものである。上記以外の構成で図４〜図１０に
示す構成と同じ部分に同一符号を付してその説明を省略する。
【００２１】
上記構成によれば、導光板３の正面上部に反射シート片１６が貼着されており、該導光
板３の上部に入射した光線Ｒが反射シート片１６に当たって前方へ投射されるのを阻止す
るので、液晶セル２の上側周縁部が明るく照らされて光漏れが生じるという欠点を解消す
ることができると共に、導光板３の上部に入射した光線Ｒを反射シート片１６と反射シー
ト５との間で乱反射させ、その乱反射光Ｒを反射シート片１６の下を通って前方に投射し
、これによって、液晶セル２のランプ７から遠くて暗くなる上部を照らすので、その液晶
セル２の全体がほぼ均等に照らされ、従来のマスキングテープ１４（図８参照）を用いる
ことにより液晶セル２の上部が暗くなるという難点を解消することができる。
【００２２】
図１及び図３に示すように、反射シート片１６の横幅ｈ１を導光板の横幅ｈ２とほぼ同
じで縦幅ｔ１をベゼル１の上側横板部１ａの縦幅ｔ２とほぼ同じに設定することにより、
反射シート片１６の端縁１６ａが上側横板部１ａの下縁１７を前後方向ａ，ｂに沿って通
る仮想線Ｋに対して同一位置または若干の間隔αをおいて上方位置に位置決めされており
、これによって、反射シート片１６により光漏れを確実に阻止し液晶セル２の全体をほぼ
均等に照らすという機能を最大限に発揮させることができると同時に、反射シート片１６
をベゼル１の上側横板部１ａの裏に隠しているので、その反射シート片１６の影がベゼル
１の開口窓Ｗを通して現れるおそれがない。
【００２３】
図３に示すように、反射シート片１６が上方シート片５ｄの上縁に一体延設されており
、これによって、部品点数が増加せず、しかも、導光板３の上面８ｄに上方シート片５ｄ
を貼着した後に反射シート片１６を折り曲げて導光板３の正面上部に貼着させるだけでよ
いから、その反射シート片１６の貼着作業を迅速容易に行うとができ、従来のマスキング
テープ１４（図８参照）を貼着する場合に比べて、大幅なコストダウンを図ることができ
る。
【図面の簡単な説明】
【００２４】
【図１】本発明の実施の一形態である液晶モジュールの縦断面図である。
【図２】同反射シート及び反射シート片付き導光板の斜視図である。
【図３】同反射シート及び反射シート片付き導光板の分解斜視図である。
【図４】同液晶モジュールの斜視図である。
【図５】従来の一例を示す縦断面図である。
【図６】同反射シート付き導光板の斜視図である。
【図７】同反射シート付き導光板の分解斜視図である。
【図８】従来の他の例を示す縦断面図である。
【図９】同マスキングテープ付き液晶セルの斜視図である。
【図１０】同液晶モジュールの正面図である。
【符号の説明】
【００２５】
１          ベゼル
１Ａ        ベゼルの前面パネル部
１Ｂ        ベゼルの枠板部
１ａ，１ｃ  横板部
１ｂ，１ｄ  縦板部
３          導光板
５          反射シート
５ａ        反射シートのシート本体
５ｂ，５ｃ  反射シートの側方シート片
５ｄ        反射シートの上方シート片
６          ランプリフレクタ
７          ランプ
１４        マスキングテープ
１６        反射シート片
１６ａ      反射シート片の端縁
Ｗ          開口窓
Ｋ          仮想線
ｈ１        反射シート片の横幅
ｈ２        導光板の横幅
ｔ１        反射シート片の縦幅
ｔ２        ベゼルの上側横板部の縦幅
【図１】
2006171168.tif 000003
【図２】
2006171168.tif 000004
【図３】
2006171168.tif 000005
【図４】
2006171168.tif 000006
【図５】
2006171168.tif 000007
【図６】
2006171168.tif 000008
【図７】
2006171168.tif 000009
【図８】
2006171168.tif 000010
【図９】
2006171168.tif 000011
【図１０】
2006171168.tif 000012